(57)【要約】【課題】  簡易に取付けられ、しかも取り付け後、ぐらつきや不用意な脱落もなく、また小物も確実に落下防止を図ることができる巾木の取付構造を開示する。【解決手段】  足場板の長手方向に沿って巾木を取付ける構造であって、足場板は隅角部付近の上面および側面に係合孔を設けてなる一方、巾木は立ち上がり板と、該立ち上がり板の下方に位置して設けられ、足場板の前記隅角部と合致するように水平部と垂直部からなる屈曲部材の前記水平部および垂直部それぞれに前記係合孔と嵌合可能な係合片を設けてなる取付金具とからなる。係合孔は足場板の長手方向に向かって長孔に形成されると共に、巾木の少なくとも一方の係合片はその下端を長手方向に９０度屈曲してなる抜け止め爪を具備し、当該係合片を前記係合孔に差し込み後、スライドさせることにより係合孔から抜脱不能とした。【選択図】        図１
2005282243.tif 000002
【特許請求の範囲】
【請求項１】
足場板の長手方向に沿って巾木を取付ける構造であって、足場板は隅角部付近の上面および側面に係合孔を設けてなる一方、巾木は立ち上がり板と、該立ち上がり板の下方に位置して設けられ、足場板の前記隅角部と合致するように水平部と垂直部からなる屈曲部材の前記水平部および垂直部それぞれに前記係合孔と嵌合可能な係合片を設けてなる取付金具とからなることを特徴とする巾木の取付構造。
【請求項２】
係合孔は足場板の長手方向に向かって長孔に形成されると共に、巾木の少なくとも一方の係合片はその下端を長手方向に９０度屈曲してなる抜け止め爪を具備し、当該係合片を前記係合孔に差し込み後、スライドさせることにより係合孔から抜脱不能とした請求項１記載の巾木の取付構造。
【請求項３】
巾木の取付金具は、その屈曲部材の垂直部に足場板の側面に向かって弾発的に付勢されたピン部材を有すると共に、足場板の側面には前記スライドした状態で、ピン部材が嵌合する丸孔を設けた請求項２記載の巾木の取付構造。
【請求項４】
巾木の立ち上がり板は、屈曲部材の垂直部から水平部に向かって内側に折曲されたチャンネル部を介して、取付金具から上方部分が足場板の側面と同一線上若しくはこれよりも内側より立ち上がるように構成した請求項１、２または３記載の巾木の取付構造。
【発明の詳細な説明】
【技術分野】
【０００１】
この発明は、各種作業用の足場や支保工を組み立てる仮設構造物において、特に足場板の長手方向に取付けられる巾木の取付構造に関するものである。
【背景技術】
【０００２】
本出願人は仮設構造物について、作業員や資材の落下を防止するための手摺り枠に関する技術を既に開示している（例えば、特許文献１、２）。
【０００３】
【特許文献１】特開２００３−４１７６６号公報
【特許文献１】特開２００３−９７０５５号公報
【発明の開示】
【発明が解決しようとする課題】
【０００４】
上記手摺り枠は、主として作業員の落下防止を目的としており、これより小さい工具や資材については落下防止は期しがたい。また、単なる平板状の足場板だけでは、作業員が足を踏み外すことも考えられる。
【０００５】
そこで、従来から足場板の左右縁には作業員の膝下程度の高さの巾木を取付けて、工具や資材の落下を防止し、作業員が誤って足を踏み外さないような構造を採用することがある。
【０００６】
こうした背景に鑑み、本発明の目的とするところは、簡易に取付けられ、しかも取り付け後、ぐらつきや不用意な脱落もなく、また小物も確実に落下防止を図ることができる巾木の取付構造を開示することである。
【課題を解決するための手段】
【０００７】
上述した目的を達成するために本発明では、足場板の長手方向に沿って巾木を取付ける構造であって、足場板は隅角部付近の上面および側面に係合孔を設けてなる一方、巾木は立ち上がり板と、該立ち上がり板の下方に位置して設けられ、足場板の前記隅角部と合致するように水平部と垂直部からなる屈曲部材の前記水平部および垂直部それぞれに前記係合孔と嵌合可能な係合片を設けてなる取付金具とから巾木の取付構造を構成した。本発明によれば、９０度の関係にある係合片によって巾木を取付けるものであるから、両者が共働で双方の抜け止め機能を発揮する。
【０００８】
係合孔は足場板の長手方向に向かって長孔に形成されると共に、巾木の少なくとも一方の係合片はその下端を長手方向に９０度屈曲してなる抜け止め爪を具備し、当該係合片を前記係合孔に差し込み後、スライドさせることにより係合孔から抜脱不能とすることによって、抜け止め爪がより確実な抜け止め機能を発揮する。
【０００９】
巾木の取付金具は、その屈曲部材の垂直部に足場板の側面に向かって弾発的に付勢されたピン部材を有すると共に、足場板の側面には前記スライドした状態で、ピン部材が嵌合する丸孔を設けることによって、ピン部材が丸孔に嵌合したとき、そのクリック音によってスライドにより抜け止め爪が係合孔に係合したことを知ることができる。
【００１０】
巾木の立ち上がり板は、屈曲部材の垂直部から水平部に向かって内側に折曲されたチャンネル部を介して、取付金具から上方部分が足場板の側面と同一線上若しくはこれよりも内側より立ち上がるように構成することによって、立ち上がり板は足場板の側面よりも内寄りに位置することになる。
【発明の効果】
【００１１】
上述したように本発明によれば、巾木を足場板の上面および側面に同時に係合させ得る取付金具を採用したので、簡易に取付けが可能でありながら、ぐらつきや不用意な脱落がなく、巾木を足場板に取付けることができる。このとき、本発明の巾木は、下段の足場板から一つ上の足場板に先行して取付けることができるため、安全に巾木の取付作業を行うことができる。また、係合片を係合孔に嵌合した後、スライドさせて抜け止め爪を係合孔に係合する構造を採用したので、係合片の係合孔からの抜脱機能が高まり、より強固に巾木を取付けることができる。また、弾発的に丸孔に嵌合するピン部材のクリック音により、上記スライドによる抜け止め爪の係合を知ることができるので、作業性を向上させることができる。
【００１２】
さらに、巾木の立ち上がり板の取付金具から上方部分を足場板の側面と同一線上若しくはこれよりも内側より立ち上がるように構成したので、足場板の側面と立ち上がり板の間に隙間が生ぜず、小物の落下をより確実に防止することができる。
【発明を実施するための最良の形態】
【００１３】
以下、本発明の好ましい実施の形態を添付した図面に従って説明する。図１、２は、本発明の一実施形態に係る巾木を示したものであり、図中、１は横長の立ち上がり板、２はその下方数カ所（本実施形態では３箇所）に設けられた取付金具である。取付金具２は９０度に折曲してなる略逆Ｌ字状の屈曲部材３の水平部４先端および垂直部５下端をさらに９０度折曲して、係合片６・７を形成している。この取付金具２は、屈曲部３の垂直部５背面を溶接等により立ち上がり板１の下方に固定しているのであるが、ここで立ち上がり板１は取付金具２の固定箇所から屈曲部材３の水平部４に沿って内側に折曲してチャンネル部１ａを形成し、立ち上がり板１の取付金具２よりも上方部分が屈曲部材３の垂直部５よりも内側に位置するように構成されている。また、立ち上がり板１の下方部分はコ字状に折曲され受け部１ｂを形成し、該受け部１ｂにはＪ字状（受け部の深さによってはＵ字状でも可）の板バネ８が収容され、該板バネ８によりピン部材９を弾発的に突出するように付勢している。さらに、取付金具２の係合片６・７は、図２において円で囲った拡大図に示すように、その先端を巾木の長手方向に向かって９０度に折曲して抜け止め爪１０ａ・１０ｂを形成している。この実施形態では双方の係合片６・７に抜け止め爪１０ａ・１０ｂを形成することとしたが、何れか一方の係合片６・７のみに形成することも可能である。
【００１４】
これに対して足場板は、図３に示すように、隅角部１１に近傍する上面１２および側面１３の３箇所に、取付金具２に対応した間隔で、前記係合片６・７が嵌合可能な係合孔１４・１５が形成されている。該係合孔１４・１５は抜け止め爪１０ａ・１０ｂをも差し込むことができるように、長手方向に向かって長孔に形成されている。即ち、当該構成により、係合片６・７を係合孔１４・１５に差し込んだ後、巾木をスライドさせることによって、抜け止め爪１０ａ・１０ｂが足場板の内部において係合孔１４・１５に係合して、取付金具２がロックされることとなる。さらに、足場板の側面１３には、前記スライド後に、ピン部材９が嵌合する丸孔１６が形成されており、ピン部材９が該丸孔１６に嵌合したときに発生するクリック音によって取付金具２がロックされたことを知ることができる。
【００１５】
上記構成の巾木を足場板に取付けるには、図４〜６に示したように、先ず巾木を斜めに倒した状態として、足場板の上面１２側係合孔１４に取付金具２の水平部４側係合片６を差し込む（図４）。なお、足場板はもちろん、本発明の巾木も、下階からの作業により上階に先行取り付けすることができるから、作業性の安全が確保される。そして、立ち上がり板１が起立するように、巾木全体を回転させ（図５）、取付金具２の垂直部５側係合片７を足場板の側面１３側係合孔１５に差し込む（図６）。ここで、各係合片６・７に抜け止め爪１０ａ・１０ｂを形成していなかったとしても、水平部４側係合片６の抜けは垂直部５側係合片７によって、垂直部５側係合片７の抜けは水平部４側係合片６によって、それぞれ規制されるから、巾木の不用意な脱落はある程度防止することができる。
【００１６】
しかし、本実施形態では各係合片６・７の先端に抜け止め爪１０ａ・１０ｂを形成し、上記差し込み後に巾木をスライドさせることによって、足場板の裏側において抜け止め爪１０ａ・１０ｂを係合孔１４・１５に係合するようにしているため、より確実に巾木のぐらつきや不用意な脱落を防止することができる。図６においては、当該スライド前の状態を示しているから、ピン部材９は足場板側面１３の丸孔１６と合致せず、足場板の側面１３と当接して、板バネ８の付勢力に抗し後退した状態にあるが、この状態から巾木を図面の紙面奥に向かってスライドさせることによりピン部材９が丸孔１６に弾発的に嵌合することはもちろんである。
【００１７】
さらに、図６から明らかなように、本実施形態では、巾木の取り付け後、立ち上がり板１のチャンネル部１ａが取付金具２の垂直部５の厚みを吸収して、立ち上がり板１の取付金具２よりも上方部分は足場板の側面１３よりも内側から立ち上がることになるため、足場板の側面１３と立ち上がり板１の間に隙間が生ぜず、小物の落下も確実に防止することができる。ここで、チャンネル部１ａの幅を大きく確保すると、足場板の上面の有効面積が減少するため、その幅は巾木を取付けた後に足場板の側面１３と隙間ができない最小限の幅に設定することが好ましい。
【００１８】
なお、この実施形態では、巾木と足場板を３箇所において取付けるようにしたが、取付金具２や係合孔１４・１５の数はこれに限らず、例えば、それぞれ巾木および足場板の中央１箇所または前後２箇所に設けることであってもよいし、４箇所以上に設けることであってもよい。また、取付金具２と係合孔１４・１５の数も必ずしも同数とすることはなく、取付金具２の数を係合孔１４・１５よりも少なくすることも可能である。
【００１９】
さらに、一枚の足場板により足場を構築する場合は、その左右側面および両隅角部の上面に係合孔１４・１５を形成する必要があるが、図７に示したように、足場板を複数並設する場合（図７は２枚の足場板を並設）は、最も外側に位置する足場板の一方側面および片側の隅角部上面に係合孔１４・１５を形成することで足りる。
【図面の簡単な説明】
【００２０】
【図１】本発明の一実施形態に係る巾木の側面図
【図２】同巾木の正面図
【図３】同実施形態に係る足場板の平面図および正面図
【図４】巾木の取付手順を示した端面図（第一工程）
【図５】同（第二工程）
【図６】同（第三工程）
【図７】他の実施形態に係る取付構造を示した平面図
【符号の説明】
【００２１】
１  立ち上がり板
１ａ  チャンネル部
１ｂ  受け部
２  取付金具
３  屈曲部材
４  屈曲部材の水平部
５  屈曲部材の垂直部
６  水平部側係合片
７  垂直部側係合片
８  板バネ８
９  ピン部材
１０ａ  水平部側係合片の抜け止め爪
１０ｂ  垂直部側係合片の抜け止め爪
１１  足場板の隅角部
１２  足場板の上面
１３  足場板の側面
１４  上面側係合孔
１５  側面側係合孔
１６  丸孔
【図１】
2005282243.tif 000003
【図２】
2005282243.tif 000004
【図３】
2005282243.tif 000005
【図４】
2005282243.tif 000006
【図５】
2005282243.tif 000007
【図６】
2005282243.tif 000008
【図７】
2005282243.tif 000009